【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
複数のカード構成シートの各シートの複数の対応箇所に２以上の基準孔を形成し、前記基準孔の少なくとも１個に当該基準孔と実質的に形状が同一の第１位置決めピンを貫通させ、残りの基準孔の少なくとも１個に当該基準孔の形状より断面積が小さい第２位置決めピンを貫通させて、前記各カード構成シート相互の位置関係を固定し溶着した
ことを特徴とするプラスチックカード。
【請求項２】
前記プラスチックカードが、ＩＣチップを埋め込んだＩＣカードである
ことを特徴とする請求項１に記載のプラスチックカード。
【請求項３】
前記複数の基準孔が、前記第１位置決めピンと同一形状の丸孔と、前記第２位置決めピンより断面積が大きい長孔とを含む
ことを特徴とする請求項１に記載のプラスチックカード。
【請求項４】
前記複数のカード構成シートを積層した積層シート体に形成された基準孔の周囲に、非熱プレス部を有する
ことを特徴とする請求項１に記載のプラスチックカード。
【請求項５】
複数のカード構成シートの各シートの複数の対応箇所に１個の丸孔と１又は２以上の長孔を形成する工程と、
前記丸孔に当該丸孔と実質的に形状が同一の第１位置決めピンを貫通させるとともに、前記長孔に各カード構成シートに歪みが生じないように第２位置決めピンを貫通させる工程と、
前記各カード構成シートを溶着し一体化する工程とを有する
ことを特徴とするプラスチックカードの製造方法。
【請求項６】
丁合い積層された複数のカード構成シートを溶着してプラスチックカードを製作する熱プレス用プレートにおいて、
上下一対のプレート部材と、
前記一対のプレート部材間に設けられ、前記カード構成シートが収容される収容部を画成する環状の密封部材と、
一端が前記収容部に臨み、他端が前記プレート部材の外部に臨む排気通路と、
前記排気通路の他端に接続され、前記収容部への外気の侵入を禁止する逆止弁装置と、
前記収容部内に立設配置され、前記複数のカード構成シートの各々の対応する箇所に形成された２以上の基準孔に対してそれぞれ貫通する２以上の位置決めピンとを備え、
前記位置決めピンが、前記複数の基準孔のうち少なくとも１個の基準孔と実質的に同一の形状の第１位置決めピンと、残りの基準孔の少なくとも１個の基準孔より断面積が小さい第２位置決めピンとを有する
ことを特徴とする熱プレス用プレート。
【請求項７】
前記密封部材が、
前記一対のプレート部材のうち一方側に密着固定されるベース部と、
他方側の前記プレート部材に密着する密封部と、
前記ベース部と前記密封部とを連絡する連結部とを有し、
前記密封部の密着力を、前記連結部の弾性的な曲げ変形の反力によって得る
ことを特徴とする請求項６に記載の熱プレス用プレート。
【請求項８】
前記一対のプレート部材の狭圧面がそれぞれ鏡面板で被覆されており、このうち下方側のプレート部材の鏡面板には、その互いに対向する縁部に対し、前記製作されたプラスチックカードを取り出すための取出し爪を挿入させるためのニゲ部が設けられている
ことを特徴とする請求項６に記載の熱プレス用プレート。
【請求項９】
前記ニゲ部の形成部位に対応する他方側の前記鏡面板の外周部位には、テープ状部材が貼着されている
ことを特徴とする請求項８に記載の熱プレス用プレート。
【請求項１０】
前記テープ状部材が貼着されない前記他方側の鏡面板の残りの外周部位には、前記テープ状部材よりも厚さの小さい補助テープ状部材が貼着されている
ことを特徴とする請求項９に記載の熱プレス用プレート。
【請求項１１】
前記補助テープ状部材が、各鏡面板間で対となって貼着されている
ことを特徴とする請求項１０に記載の熱プレス用プレート。
【請求項１２】
前記一対のプレート部材の挟圧面がそれぞれ鏡面板で被覆されており、少なくとも一方の前記プレート部材と前記鏡面板との間にはクッション材が介在されている
ことを特徴とする請求項６に記載の熱プレス用プレート。
【請求項１３】
上下一対のプレート部材からなり丁合い積層された複数種のカード構成シートを狭圧する熱プレス用プレートを用いて、前記カード構成シートを積層したプラスチックシートを製作するカード製造装置であって、
前記熱プレス用プレートには、前記一対のプレート部材間に画成される収容部内の真空状態を保持する逆止弁装置が設けられるとともに、
前記熱プレス用プレートの内部には、前記複数のカード構成シートの各々の対応する箇所に形成された２以上の基準孔にそれぞれ貫通し、前記複数の基準孔のうち少なくとも１個の基準孔と実質的に同一の形状の第１位置決めピンと、残りの基準孔の少なくとも１個の基準孔より断面積が小さい第２位置決めピンとが設けられ、
上下二段の搬送路間で前記熱プレス用プレートを循環搬送する搬送手段と、
前記一対のプレート部材間に複数枚のカード構成シートを積層する供給部と、
前記搬送路に沿って直列配置された複数のプレス部からなり、前記熱プレス用プレートをプレス処理して前記プラスチックシートを製作するラミネート部と、
前記熱プレス用プレートから前記プラスチックシートを取り出す取出部とを備えた
ことを特徴とするカード製造装置。
【請求項１４】
前記供給部には、前記基準孔が形成されたカード構成シートをその種類毎に位置決め収容した複数のトレイから、前記プレート部材へ向けて順次、前記第１，第２位置決めピンを基準として、前記カード構成シートを一枚ずつ転送するシート転送手段を備える
ことを特徴とする請求項１３に記載のカード製造装置。
【請求項１５】
前記ラミネート部では、前記各プレス部の可動プレス盤が前記熱プレス用プレートの下方側に配置されている
ことを特徴とする請求項１３に記載のカード製造装置。
【請求項１６】
前記複数のプレス部の少なくとも１つが、前記カード構成シートを狭圧する上方側の前記プレート部材の代わりとして、プレス盤のプレス面を覆うように湾曲形状の金属板が取り付けられている
ことを特徴とする請求項１３に記載のカード製造装置。
【請求項１７】
前記カード構成シートと前記金属板との間には、前記カード構成シートよりも軟質の樹脂製フィルムが介在されている
ことを特徴とする請求項１６に記載のカード製造装置。
【請求項１８】
前記取出部の下流側には、前記一対のプレート部材のそれぞれの狭圧面をクリーニングするクリーニング部が設けられている
ことを特徴とする請求項１３に記載のカード製造装置。
【請求項１９】
前記クリーニング部が、
前記狭圧面に付着した異物を削り落とすラッピング機構と、
前記狭圧面に付着した異物を除去する粘着ローラとを有する
ことを特徴とする請求項１８に記載のカード製造装置。
【請求項２０】
前記一対のプレート部材の挟圧面がそれぞれ鏡面板で被覆されており、少なくとも一方の前記プレート部材と前記鏡面板との間にはクッション材が介在されている
ことを特徴とする請求項１３に記載のカード製造装置。
【手続補正２】
【補正対象書類名】明細書
【補正対象項目名】００３４
【補正方法】変更
【補正の内容】
【００３４】
このような複数のカード構成シートの丁合いの要領を図５に示す。
カード構成シートのサイトマークを画像処理し、或いは積層シート外形突き当て基準で中央の丸孔１７と両側の長孔１８を形成したカード構成シート１９ａ，１９ｂ，１９ｃ及び１９ｄを丁合いして下プレート部材２０に順次積層し、かつ位置決めピン２１で丁合いを行う。この時に両長孔１８に位置決めピン２１に対して遊びがあるため、各カード構成シート１９ａ，１９ｂ，１９ｃ及び１９ｄに長孔形成位置に若干のずれがあっても上記遊びのためこのずれを吸収して各カード構成シートに歪みを生じさせずに積層できる。最後に最上段のカード構成シート１９ｄ上に上プレート部材２２を積層して、積層シート２３とする。
ここで、丸孔１７を貫通する位置決めピン２１が本発明の「第１位置決めピン」に対応し、長孔１８を貫通する位置決めピン２１が本発明の「第２位置決めピン」に対応する。


【手続補正３】
【補正対象書類名】明細書
【補正対象項目名】００５０
【補正方法】変更
【補正の内容】
【００５０】
上段側の搬送レール１０２Ａと下段側の搬送レール１０２Ｃとの間のキャリアプレート１０１の転送は、各搬送レール１０２Ａ，１０２Ｃの端部間を連絡する昇降ユニット１０２Ｂ，１０２Ｄによって行われる。
各昇降ユニット１０２Ｂ，１０２Ｄはそれぞれ同一の構成を有し、キャリアプレート１０１の下面を支持する一対の支持アーム１０３と、支持アーム１０３を昇降させる電動アクチュエータ１０４とを備えている。


【手続補正４】
【補正対象書類名】明細書
【補正対象項目名】００７３
【補正方法】変更
【補正の内容】
【００７３】
＜一次ラミネート部＞
図１５を参照して、本実施の形態におけるカード製造装置１００は、一次ラミネート部を構成する各プレス部としては、第１予熱プレス部１２２、第２予熱プレス部１２３、加熱プレス部１２４、第１冷却プレス部１２５および第２冷却プレス部１２６を備えている。


【手続補正５】
【補正対象書類名】明細書
【補正対象項目名】０１３９
【補正方法】変更
【補正の内容】
【０１３９】
その対策として、本実施の形態では、上述したように上プレート部材２１１側の狭圧面に金属テープ２３１を貼り付けており、これにより、切欠き２１２ｓの形成部位における圧力不足を補うようにしている。
すなわち、図３６Ｅに示すように、切欠き２１２ｓの直上方に位置する積層シートＣ２の領域は、上プレート部材の鏡面板２１１ａに貼着された金属テープ２３１の厚さに相当する大きさだけ圧力が増大され、これにより適正な溶着を実現できる。また、シート構成材料の流動化をも抑えて、シート面内部における厚さバラツキを抑制できる。
なお、金属テープ２３１による圧力調整は、当該金属テープ２３１の厚さだけでなく、金属テープ２３１の貼着位置、すなわち図３６Ｅに示すように、金属テープ２３１による増圧幅ＷＥの調整によっても行うことができる。